(57)【要約】【課題】使用者が臨場感のある音声を聴くことができるプロジェクタの提供。【解決手段】プロジェクタ１は、プロジェクタ本体２と、ＤＶＤプレーヤー３と、プロジェクタ本体２およびＤＶＤプレーヤー３の相対回転動作を検出するためのスイッチ６１Ａ，６１Ｂとを備える。プロジェクタ本体２は、制御手段２６を備え、制御手段２６は、回転位置判定部２６１と、音声情報切替部２６２とを備える。回転位置判定部２６１は、スイッチ６１Ａ，６１Ｂの各状態に基づいて、プロジェクタ本体２およびＤＶＤプレーヤー３が所定の回転位置にあるか否かを判定する。音声情報切替部２６２は、回転位置判定部２６１による判定結果に基づいて、スピーカ３４１，３４２に対して出力される音声情報を切り替えさせる。【選択図】図５
2009044720.tif 000002
【特許請求の範囲】
【請求項１】
光源から射出された光を、入力される画像情報に応じて変調して光学像を形成する光変調装置と、形成した光学像を拡大投射する投射光学装置とを備えるプロジェクタ本体と、入力される音声情報に応じて音声を出力するスピーカを備える音響装置とを備えるプロジェクタであって、
前記スピーカに対して出力される音声情報を前記プロジェクタの設置位置に応じて切り替える音声情報切替部を備えることを特徴とするプロジェクタ。
【請求項２】
請求項１に記載のプロジェクタにおいて、
前記プロジェクタ本体および前記音響装置を相対回転可能に連結させる連結機構と、
前記プロジェクタ本体および前記音響装置の回転位置を検出するための回転位置検出手段とを備え、
前記音響装置は、少なくとも一対の前記スピーカを備え、
前記音声情報切替部は、前記回転位置検出手段による検出結果に基づいて、前記各スピーカに対して出力される音声情報を切り替えることを特徴とするプロジェクタ。
【請求項３】
請求項２に記載のプロジェクタにおいて、
前記音響装置は、略同一の方向に音声を出力するように配設される一対の前記スピーカを備え、
前記回転位置検出手段は、前記プロジェクタ本体および前記音響装置の回転位置のうち、前記投射光学装置および前記一対のスピーカが同側となる第１投射位置と、前記投射光学装置および前記一対のスピーカが反対側となる第２投射位置とを検出することを特徴とするプロジェクタ。
【請求項４】
請求項３に記載のプロジェクタにおいて、
前記音声情報切替部は、音声情報を前記音響装置に対して継続して出力させることを特徴とするプロジェクタ。
【請求項５】
請求項１から請求項４のいずれかに記載のプロジェクタにおいて、
前記音響装置は、少なくとも３つのスピーカを備えていることを特徴とするプロジェクタ。
【請求項６】
光源から射出された光を、入力される画像情報に応じて変調して光学像を形成する光変調装置と、形成した光学像を拡大投射する投射光学装置とを備えるプロジェクタ本体と、入力される音声情報に応じて音声を出力する少なくとも一対のスピーカを備える音響装置と、前記プロジェクタ本体および前記音響装置を相対回転可能に連結させる連結機構とを備えるプロジェクタの制御方法であって、
前記プロジェクタ本体および前記音響装置の回転位置を検出するための回転位置検出手段による検出結果に基づいて、前記スピーカに対して出力される音声情報を切り替える音声出力切替ステップを実行することを特徴とするプロジェクタの制御方法。
【発明の詳細な説明】
【技術分野】
【０００１】
本発明は、プロジェクタ、及び制御方法に関する。
【背景技術】
【０００２】
従来、光源から射出された光を、入力される画像情報に応じて変調して光学像を形成する光変調装置と、形成した光学像を拡大投射する投射光学装置とを備えるプロジェクタ本体と、このプロジェクタ本体に画像情報を出力する画像出力装置とを備え、プロジェクタ本体および画像出力装置が相対回転可能に構成されるプロジェクタが知られている（例えば、特許文献１参照）。
特許文献１に記載のプロジェクタでは、ＤＶＤ（Digital Versatile Disk）再生部（画像出力装置）の上方に設けられた連結部を介して投射部（プロジェクタ本体）が連結され、ＤＶＤ再生部に対して投射部が相対回転可能に構成されている。これにより、プロジェクタの使用者は、ＤＶＤ再生部におけるＤＶＤ挿入口などの操作部が設けられた面を自身の方向に向けてプロジェクタを設置し、プロジェクタ本体による光学像の投射方向をスクリーン等の投射面の方向に向けて使用することができる。
【０００３】
また、このようなプロジェクタ本体および画像出力装置を備えるプロジェクタにおいて、音声情報に基づく音声を出力する一対のスピーカを備えるプロジェクタが知られている（例えば、特許文献２参照）。
特許文献２に記載のプロジェクタでは、プロジェクタの背面側に設けられたＤＶＤ投入部の両側に一対のスピーカが配設されている。
【０００４】
【特許文献１】特開２００５−９９６１７号公報
【特許文献２】特開２００６−７２０３７号公報
【発明の開示】
【発明が解決しようとする課題】
【０００５】
ところで、一対のスピーカから構成されるステレオスピーカは、使用者の左側にあるスピーカから音声を出力するための左側用音声情報と、右側にあるスピーカから音声を出力するための右側用音声情報とに基づいて、一対のスピーカからそれぞれ異なる音声を出力するものである。これにより、ステレオスピーカの使用者は、臨場感のある音声を聴くことができる。
【０００６】
ここで、例えば、特許文献１に記載のプロジェクタのように、ＤＶＤ再生部に対して投射部が相対回転可能に構成されている場合において、ＤＶＤ再生部における操作部が設けられた面に一対のスピーカを設けると、プロジェクタを自身の前方に配置して一対のスピーカが設けられた面を自身の方向に向けた場合と、プロジェクタを自身の前方に配置して一対のスピーカが設けられた面を自身の方向に向けた場合とで各スピーカの配置が入れ替わる。すなわち、プロジェクタの設置位置に応じて各スピーカの配置が入れ替わる。
したがって、使用者の左側にあるスピーカから右側用音声情報に基づく音声が出力され、右側にあるスピーカから左側用音声情報に基づく音声が出力される場合があり、このような場合には、プロジェクタの使用者は、臨場感のある音声を聴くことができなくなるという問題がある。
【０００７】
本発明の目的は、使用者が臨場感のある音声を聴くことができるプロジェクタ、及び制御方法を提供することにある。
【課題を解決するための手段】
【０００８】
本発明のプロジェクタは、光源から射出された光を、入力される画像情報に応じて変調して光学像を形成する光変調装置と、形成した光学像を拡大投射する投射光学装置とを備えるプロジェクタ本体と、入力される音声情報に応じて音声を出力するスピーカを備える音響装置とを備えるプロジェクタであって、前記スピーカに対して出力される音声情報を前記プロジェクタの設置位置に応じて切り替える音声情報切替部を備えることを特徴とする。
【０００９】
このような構成によれば、プロジェクタは、スピーカに対して出力される音声情報をプロジェクタの設置位置に応じて切り替える音声情報切替部を備えるので、プロジェクタの設置位置を変更した場合であっても使用者が臨場感のある音声を聴くことができる。なお、音声情報切替部の構成としては、例えば、使用者からの操作入力によってプロジェクタの設置位置に係る情報を取得し、取得した情報に基づいて音声情報を切り替える構成を採用することができる。
【００１０】
本発明では、前記プロジェクタ本体および前記音響装置を相対回転可能に連結させる連結機構と、前記プロジェクタ本体および前記音響装置の回転位置を検出するための回転位置検出手段とを備え、前記音響装置は、少なくとも一対の前記スピーカを備え、前記音声情報切替部は、前記回転位置検出手段による検出結果に基づいて、前記各スピーカに対して出力される音声情報を切り替えることが好ましい。
【００１１】
このような構成によれば、プロジェクタは、回転位置検出手段を備えるので、例えば、プロジェクタ本体および音響装置が相対回転した場合において、各スピーカの配置が入れ替わるような回転位置を検出するように回転位置検出手段を設けることができる。そして、音声情報切替部は、回転位置検出手段による検出結果に基づいて、スピーカに対して出力される音声情報を切り替えるので、プロジェクタ本体および音響装置が回転した場合においても、使用者が臨場感のある音声を聴くことができる。また、より正確に回転位置を検出するために、回転位置検出手段を複数備えることもできる。
【００１２】
本発明では、前記音響装置は、略同一の方向に音声を出力するように配設される一対の前記スピーカを備え、前記回転位置検出手段は、前記プロジェクタ本体および前記音響装置の回転位置のうち、前記投射光学装置および前記一対のスピーカが同側となる第１投射位置と、前記投射光学装置および前記一対のスピーカが反対側となる第２投射位置とを検出することが好ましい。
【００１３】
ここで、第１投射位置では、投射光学装置および各スピーカが同側であるので、使用者は、プロジェクタを自身の後方に設置していると考えられ、第２投射位置では、投射光学装置および各スピーカが反対側であるので、使用者は、プロジェクタを自身の前方に設置していると考えられる。また、使用者は、光学像が拡大投射されるスクリーンと正対していると考えられるので、第１投射位置および第２投射位置は、プロジェクタ本体および音響装置が相対回転した場合において、各スピーカの配置が入れ替わるような回転位置である。
【００１４】
本発明によれば、回転位置検出手段は、第１投射位置と、第２投射位置とを検出するので、音声情報切替部は、使用者の左側にあるスピーカから左側用音声情報に基づく音声が出力され、右側にあるスピーカから右側用音声情報に基づく音声が出力されるように、音声情報を切り替えることができる。したがって、プロジェクタの設置位置を変更した場合であっても使用者が臨場感のある音声を聴くことができる。
【００１５】
本発明では、前記音声情報切替部は、音声情報を前記音響装置に対して継続して出力させることが好ましい。
このような構成によれば、音響装置は、プロジェクタ本体および音響装置の回転位置が第１投射位置、及び第２投射位置の中間位置にある場合においても継続して音声を出力することができる。
【００１６】
本発明では、前記音響装置は、少なくとも３つのスピーカを備えていることが好ましい。
このような構成によれば、前述したプロジェクタと同様の作用効果を奏することができる。また、プロジェクタは、少なくとも３つのスピーカを備えているので、２つ以下のスピーカを備えている場合と比較して、使用者は更に臨場感のある音声を聴くことができる。
【００１７】
本発明の制御方法は、光源から射出された光を、入力される画像情報に応じて変調して光学像を形成する光変調装置と、形成した光学像を拡大投射する投射光学装置とを備えるプロジェクタ本体と、入力される音声情報に応じて音声を出力する少なくとも一対のスピーカを備える音響装置と、前記プロジェクタ本体および前記音響装置を相対回転可能に連結させる連結機構とを備えるプロジェクタの制御方法であって、
前記プロジェクタ本体および前記音響装置の回転位置を検出するための回転位置検出手段による検出結果に基づいて、前記スピーカに対して出力される音声情報を切り替える音声出力切替ステップを実行することを特徴とする。
このような構成によれば、前述したプロジェクタと同様の作用効果を奏することができる。
【発明を実施するための最良の形態】
【００１８】
〔第１実施形態〕
以下、本発明の第１実施形態を図面に基づいて説明する。
〔プロジェクタの概略構成〕
図１は、プロジェクタ１を前方側から見た斜視図であり、図２は、プロジェクタ１を後方側から見た斜視図である。図３は、プロジェクタ１を前方側から見た分解斜視図である。なお、図１〜図３では、説明の便宜上、プロジェクタ１の後方側から前方側に向かう方向をＸ軸とし、このＸ軸に直交する２軸をそれぞれＹ軸（水平軸）およびＺ軸（垂直軸）とする。以下の図面についても同様である。
【００１９】
プロジェクタ１は、図１〜図３に示すように、光源から射出された光を、入力される画像情報に応じて変調して光学像を形成し、形成した光学像を拡大投射するプロジェクタ本体２と、プロジェクタ本体２に画像情報を出力するＤＶＤプレーヤー３と、プロジェクタ本体２およびＤＶＤプレーヤー３を回転自在に連結させる連結機構４と、プロジェクタ本体２およびＤＶＤプレーヤー３の回転を規制する回転規制機構５と、プロジェクタ本体２およびＤＶＤプレーヤー３の回転位置を検出するための回転位置検出手段６（図４参照）とを備える。なお、回転位置検出手段６およびプロジェクタ１の内部構成については後に詳述する。
【００２０】
プロジェクタ本体２は、図１および図２に示すように、ＤＶＤプレーヤー３の上方側（＋Ｚ軸方向側）に載置され、略直方体状に形成された上方側筐体２１と、上方側筐体２１の前面（＋Ｘ軸方向側の面）に露出する投射レンズ２２と、上方側筐体２１の上面（＋Ｚ軸方向側の面）の後方側（−Ｘ軸方向側）に設けられた操作パネル２３とを備える。この操作パネル２３は、プロジェクタ１の起動・調整等の操作およびＤＶＤプレーヤー３の再生・停止等の操作を実施するためのものである。ＤＶＤプレーヤー３は、このＤＶＤ操作パネル２３が操作されることで、ＤＶＤプレーヤー３に挿入されたＤＶＤ等の記録媒体に記録された画像情報や、音声情報等の再生・停止等を実施する。
【００２１】
ＤＶＤプレーヤー３は、ＤＶＤ等の記録媒体を再生することで、記録媒体に記録された画像情報を、画像ケーブル（図示略）を介してプロジェクタ本体２に出力するものである。このＤＶＤプレーヤー３は、図１および図２に示すように、プロジェクタ本体２の下方側（−Ｚ軸方向側）に配置され、略直方体状に形成された下方側筐体３１と、下方側筐体３１の前面の略中央部分に設けられたＤＶＤ挿抜口３２と、ＤＶＤ挿抜口３２の下方側に設けられたＤＶＤ動作表示部３３と、このＤＶＤ動作表示部３３の両側に設けられたスピーカ３４１，３４２と、下方側筐体３１の背面（−Ｘ軸方向側の面）に設けられたインタフェースカバー３４およびインレットコネクタ３５とを備える。
【００２２】
ＤＶＤ挿抜口３２は、ＤＶＤ等の記録媒体が挿抜されるスロットインタイプの挿抜口であり、ＤＶＤプレーヤー３は、このＤＶＤ挿抜口３２に挿入された記録媒体に記録された画像情報や、音声情報等を再生する。また、ＤＶＤ挿抜口３２の側方には、記録媒体を排出する為の排出スイッチ３２Ａが取り付けられている。
ＤＶＤ動作表示部３３は、ＤＶＤプレーヤー３の再生・停止等の状態を表示する部分であり、使用者は、このＤＶＤ動作表示部３３を見ることで記録媒体の再生・停止等の状態を確認することができる。
スピーカ３４１，３４２は、ステレオスピーカとして構成され、入力される音声情報に応じて音声を出力する部分であり、例えば、ＤＶＤ挿抜口３２に挿入された記録媒体に記録された音声情報に基づく音声を出力する。すなわち、本実施形態では、音響装置は、ＤＶＤプレーヤー３により構成されている。なお、スピーカ３４１，３４２は、略同一の方向に音声を出力するように配設されている。
【００２３】
インタフェースカバー３４の内部には、図示は省略するが、例えば、プロジェクタ１に外部から画像情報を入力するための画像入力端子などの各種インタフェースコネクタが設けられており、インタフェースカバー３４は、これらのインタフェースコネクタを保護する。そして、このインタフェースカバー３４を開放することで、各種インタフェースコネクタを利用することができる。なお、インタフェースカバー３４は省略してもよい。
インレットコネクタ３５は、ＡＣ電源ケーブルを外部から接続するためのコネクタであり、インタフェースカバー３４に覆われることなく露出している。
【００２４】
連結機構４は、図３に示すように、プロジェクタ本体２の底板２４に固定される板状部材４１と、この板状部材４１に固定されるとともに、ＤＶＤプレーヤー３の天板３６に回転自在に取り付けられる回転部材４２と、この回転部材４２を天板３６に取り付ける複数の分割円環部材４３とを備える。
なお、図３では、上方側筐体２１から露出する投射レンズ２２（図１参照）や、下方側筐体３１に設けられたＤＶＤ挿抜口３２（図１参照）等の各部については図示を省略している。
【００２５】
板状部材４１は、平面視略十字形状に形成される板状の部材であり、略直交して四方に延出する４つの端部を有している。この板状部材４１の略中央位置には、回転部材４２が複数のネジにて固定されている。
回転部材４２は、略円筒形状の回転部材本体４２１と、この回転部材本体４２１の天板３６側の一端に軸方向と略直交して外側に向かって延出して設けられる延出部４２２を備える。
ここで、天板３６には、プレス成形等により、上方側に向かって突出する略円盤状の台座３６１が略中央位置に形成され、台座３６１における略中央位置には、略円形の開口部３６１Ａが形成されている。そして、回転部材４２は、板状部材４１に固定された状態で開口部３６１Ａに上方側から挿通される。
【００２６】
分割円環部材４３は、回転部材本体４２１の外径と略同じ内径を有する平板状の円環部材を２つの部分に分割した部材であり、回転部材４２が開口部３６１Ａに挿通した状態における天板３６と、延出部４２２との間隙と略同じ厚さに形成されている。
そして、分割円環部材４３は、天板３６と、延出部４２２との間隙に回転部材本体４２１を挟み込むように挿入され、複数のネジにて天板３６に固定されている。また、天板３６は、複数のネジにて下方側筐体３１に固定される。
【００２７】
回転規制機構５は、台座３６１の周縁における右側面側（＋Ｙ軸方向側）および左側面側（−Ｙ軸方向側）の２箇所位置に、上方側に向かって突出するように折り曲げ加工されたストッパ部５１Ａ，５１Ｂと、前面側（＋Ｘ軸方向側）および背面側（−Ｘ軸方向側）の２箇所位置に取り付けられたクリックバネ５２Ａ，５２Ｂとを備える。
ストッパ部５１Ａ，５１Ｂは、板状部材４１に当接することで、板状部材４１の所定方向への回転を規制する。具体的に、ストッパ部５１Ａは、プロジェクタ本体２における投射レンズ２２と、ＤＶＤプレーヤー３におけるＤＶＤ挿抜口３２、ＤＶＤ動作表示部３３、およびスピーカ３４１，３４２とが同側にある状態、すなわち、図１〜図３の状態において、板状部材４１に当接し、上方側から見て時計回り方向（図３中矢印Ａ）への板状部材４１の回転を規制する。また、ストッパ部５１Ｂは、投射レンズ２２と、ＤＶＤ挿抜口３２、ＤＶＤ動作表示部３３、およびスピーカ３４１，３４２とが反対側にある状態において、板状部材４１に当接し、反時計回り方向（図３中矢印Ｂ）への板状部材４１の回転を規制する。
【００２８】
クリックバネ５２Ａ，５２Ｂは、板状部材４１がストッパ部５１Ａ，５１Ｂに当接した際に、ストッパ部５１Ａ，５１Ｂにより規制される所定方向の回転とは逆方向の回転に対する抗力を板状部材４１に付加する。
したがって、板状部材４１を、ストッパ部５１Ａ，５１Ｂから離間させる方向に回転させるためには、クリックバネ５２Ａ，５２Ｂにより付加される抗力よりも大きな力を加える必要がある。すなわち、クリックバネ５２Ａ，５２Ｂにより、板状部材４１は、ストッパ部５１Ａ，５１Ｂに当接した状態で静止する。なお、本実施形態では、板状部材４１がストッパ部５１Ａに当接した状態の静止位置を第１投射位置（図１〜図３参照）とし、ストッパ部５１Ｂに当接した状態の静止位置を第２投射位置とする。
【００２９】
〔回転位置検出手段の構成〕
図４は、プロジェクタ１が第１投射位置で静止している状態において、天板３６を下方側から見た図である。
回転位置検出手段６は、図４に示すように、各分割円環部材４３の略中央位置に取り付けられる平面視略矩形状のスイッチ６１Ａ，６１Ｂと、台座３６１に取り付けられ、スイッチ６１Ａ，６１Ｂの導通および非導通を検出するためのスイッチ用基板６２とを備える。
【００３０】
スイッチ６１Ａ，６１Ｂは、回転部材４２および天板３６、すなわち、プロジェクタ本体２およびＤＶＤプレーヤー３の相対回転の方向に沿って設けられ、プロジェクタ本体２およびＤＶＤプレーヤー３の回転位置を検出するためのものである。このスイッチ６１Ａ，６１Ｂの隅部には、このスイッチ６１Ａ，６１Ｂにおける対角線の略延長線上に外側に向かって突出するように軸部６１１が設けられている。軸部６１１は、スイッチ６１Ａ，６１Ｂの隅部を中心として回動自在とされ、スイッチ６１Ａ，６１Ｂの隅部を中心として回転部材４２側に付勢されている。なお、スイッチ６１Ａ，６１Ｂは、軸部６１１に負荷が加えられていない状態においては導通しない（図４中スイッチ６１Ｂの状態）。また、スイッチ６１Ａ，６１Ｂは、軸部６１１に負荷が加えられ、軸部６１１がスイッチ６１Ａ，６１Ｂの回転部材４２側の側面と略平行となるように押し込まれると導通する（図４中スイッチ６１Ａの状態）。
【００３１】
回転部材４２の延出部４２２には、プロジェクタ１が第１投射位置で静止している状態において、クリックバネ５２Ａ側に突出する突出部４２２Ａが形成されている。この突出部４２２Ａは、プロジェクタ１が第１投射位置で静止している状態においては、スイッチ６１Ａの軸部６１１に負荷を加え、プロジェクタ１が第２投射位置で静止している状態においては、スイッチ６１Ｂの軸部６１１に負荷を加える位置に形成されている。
【００３２】
すなわち、プロジェクタ１が第１投射位置で静止している状態においては、スイッチ６１Ａは導通状態となり、スイッチ６１Ｂは、非導通状態となる。一方、プロジェクタ１が第２投射位置で静止している状態においては、スイッチ６１Ａは、非導通状態となり、スイッチ６１Ｂは、導通状態となる。さらに、プロジェクタ１が回転している状態、すなわち第１投射位置、及び第２投射位置のいずれにもない場合には、スイッチ６１Ａ，６１Ｂは共に非導通状態となる。
スイッチ用基板６２は、スイッチ６１Ａ，６１Ｂの導通（ＯＮ状態）および非導通（ＯＦＦ状態）を検出するための回路基板であり、検出したＯＮまたはＯＦＦの各状態を制御手段２６に出力する。
【００３３】
〔プロジェクタの内部構成〕
図５は、プロジェクタ１の内部構成を示すブロック図である。
ＤＶＤプレーヤー３は、図５に示すように、音声処理手段３７を備える。
音声処理手段３７は、例えば、ＤＳＰ（Digital Signal Processor）等を含んで構成され、記録媒体に記録された音声情報を処理する。具体的に、音声処理手段３７は、記録媒体に記録された音声情報に基づいて、使用者の左側にあるスピーカから音声を出力するための左側用音声情報と、右側にあるスピーカから音声を出力するための右側用音声情報とを別々に処理する。そして、処理された左側用音声情報および右側用音声情報を、別々の信号線を介して接続された各スピーカ３４１，３４２に対して出力する。ここで、左側用音声情報および右側用音声情報を、各スピーカ３４１，３４２のいずれに出力するかは後述する制御手段２６による制御の下に定められる。
【００３４】
プロジェクタ本体２は、図５に示すように、画像投射手段２５と、制御手段２６とで概略構成されている。
画像投射手段２５は、光源から射出される光を画像情報に応じて変調して光学像を形成し、形成した光学像をスクリーンＳｃ等の投射面に拡大投射するものである。この画像投射手段２５は、光源装置２５１と、液晶パネル２５２と、前述した投射レンズ２２とを備える。
【００３５】
光源装置２５１は、高圧放電ランプにて構成される光源ランプ２５３を備え、光源ランプ２５３は、光を液晶パネル２５２に向けて射出する。なお、光源装置２５１は、光源ランプ２５３に代えて、発光ダイオード、レーザダイオード、有機ＥＬ素子等の各種自己発光素子を備えていてもよい。
光変調装置としての液晶パネル２５２は、透過型の液晶パネルであり、画像情報に基づいて、液晶セル（図示略）に封入された液晶分子の配列を変化させ、光源ランプ２５３から射出された光を、透過若しくは遮断することにより画像データに応じて変調して光学像を形成し、この光学像を投射レンズ２２に射出する。
【００３６】
投射光学装置としての投射レンズ２２は、筒状の鏡筒（図示略）内に複数のレンズが収納された組レンズとして構成され、液晶パネル２５２から射出された光学像をスクリーンＳｃに向けて拡大投射するものである。そして、スクリーンＳｃには、射出された光学像に基づく投射画像が表示される。
なお、図示は省略したが、プロジェクタ本体２は、光源ランプ２５３から射出される光をＲＧＢ（Red Green Blue）の３色の光に分離する色光分離光学装置を備えている。また、前述した液晶パネル２５２は、色光分離光学装置にて分離されたＲＧＢの３色に対応して設けられている。さらに、プロジェクタ本体２は、３色の光学像を合成してカラー画像を表す光学像を生成する合成光学装置を備えている。
【００３７】
制御手段２６は、例えば、ＣＰＵ（Central Processing Unit）等を含んで構成され、プロジェクタ本体２全体を制御する。この制御手段２６は、回転位置判定部２６１と、音声情報切替部２６２とを備える。
回転位置判定部２６１は、スイッチ用基板６２から出力されるスイッチ６１Ａ，６１ＢのＯＮまたはＯＦＦの各状態に基づいて、プロジェクタ本体２およびＤＶＤプレーヤー３の回転位置が第１投射位置、第２投射位置、及び中間位置（第１投射位置、及び第２投射位置の中間の回転位置）のいずれの回転位置にあるかを判定する。
音声情報切替部２６２は、回転位置判定部２６１による判定結果に基づいて、スピーカ３４１，３４２に対して出力される音声情報を音声処理手段３７に切り替えさせる。
【００３８】
〔プロジェクタの制御処理〕
図６は、プロジェクタ１の制御処理を示すフローチャートである。
プロジェクタ１は、電源ボタンが押下されると、画像情報に応じて形成された光学像をスクリーンＳｃに向けて拡大投射するとともに、以下の制御処理を実行する。
まず、回転位置判定部２６１は、スイッチ用基板６２から出力されるスイッチ６１Ａ，６１ＢのＯＮまたはＯＦＦの各状態を監視することで、プロジェクタ本体２およびＤＶＤプレーヤー３の回転位置を判定する（ステップＳ１：回転位置判定ステップ）。具体的に、回転位置判定部２６１は、スイッチ６１ＡがＯＮ状態であり、スイッチ６１ＢがＯＦＦ状態である場合を、プロジェクタ１が第１投射位置で静止している状態であると判定する。また、回転位置判定部２６１は、スイッチ６１ＡがＯＦＦ状態であり、スイッチ６１ＢがＯＮ状態である場合を、プロジェクタ１が第２投射位置で静止している状態であると判定する。さらに、回転位置判定部２６１は、スイッチ６１Ａ，６１Ｂが共にＯＦＦ状態である場合を、プロジェクタ本体２およびＤＶＤプレーヤー３の回転位置が中間位置にある状態であると判定する。
【００３９】
回転位置判定ステップＳ１により、プロジェクタ１が第１投射位置または第２投射位置で静止している状態であると判定されると、音声情報切替部２６２は、各スピーカ３４１，３４２に対して出力される音声情報を音声処理手段３７に切り替えさせる（ステップＳ２：音声情報切替ステップ）。
具体的に、回転位置判定ステップＳ１により、プロジェクタ１が第１投射位置で静止している状態であると判定されると、音声情報切替部２６２は、音声処理手段３７に、スピーカ３４１に対して右側用音声情報を出力させ、スピーカ３４２に対して左側用音声情報を出力させる。一方、回転位置判定ステップＳ１により、プロジェクタ１が第２投射位置で静止している状態であると判定されると、音声情報切替部２６２は、音声処理手段３７に、スピーカ３４１に対して左側用音声情報を出力させ、スピーカ３４２に対して右側用音声情報を出力させる。なお、回転位置判定ステップＳ１により、プロジェクタ本体２およびＤＶＤプレーヤー３の回転位置が中間位置にある状態であると判定されると、音声情報切替部２６２は、各音声情報を各スピーカに対して継続して出力させる。
以上のステップＳ１〜Ｓ２を実行することにより、プロジェクタ１の制御処理が実行される。
【００４０】
ここで、図７は、プロジェクタ１が第１投射位置および第２投射位置で静止している状態におけるスクリーンＳｃと、投射レンズ２２と、スピーカ３４１，３４２と、プロジェクタ１の使用者の位置関係を示す模式図である。なお、図７において、プロジェクタ１の使用者は丸印で示されている。
図７（Ａ）は、プロジェクタ１が第１投射位置で静止している状態を示す図であり、この状態においては、投射レンズ２２と、スピーカ３４１，３４２とは同側にある。また、図７（Ｂ）は、プロジェクタ１が第２投射位置で静止している状態を示す図であり、この状態においては、投射レンズ２２と、スピーカ３４１，３４２とは反対側にある。
【００４１】
ここで、スピーカ３４１，３４２は、ＤＶＤ挿抜口３２およびＤＶＤ動作表示部３３の両側に設けられているので、プロジェクタ１が第１投射位置で静止している状態においては、使用者は、プロジェクタ１とスクリーンＳｃとの間でプロジェクタ１を使用するものと考えられる（図７（Ａ））。また、プロジェクタ１が第２投射位置で静止している状態においては、使用者とスクリーンＳｃとの間にプロジェクタ１が設置されるものと考えられる（図７（Ｂ））。
【００４２】
したがって、プロジェクタ１が第１投射位置で静止している状態においては、使用者は、スクリーンＳｃと正対しているので、スピーカ３４１は、使用者の右側に位置し、スピーカ３４２は、使用者の左側に位置する（図７（Ａ））。また、プロジェクタ１が第２投射位置で静止している状態においては、使用者は、スクリーンＳｃと正対しているので、スピーカ３４１は、使用者の左側に位置し、スピーカ３４２は、使用者の右側に位置する（図７（Ｂ））。
すなわち、第１投射位置および第２投射位置は、プロジェクタ本体２およびＤＶＤプレーヤー３が相対回転した場合において、各スピーカ３４１，３４２の配置が入れ替わるような回転位置である。
【００４３】
そして、プロジェクタ１が第１投射位置で静止している状態においては、音声情報切替部２６２は、音声処理手段３７に、スピーカ３４１に対して右側用音声情報を出力させ、スピーカ３４２に対して左側用音声情報を出力させるので、プロジェクタ１の使用者の左側にあるスピーカ３４２から左側用音声情報に基づく音声が出力され、右側にあるスピーカ３４１から右側用音声情報に基づく音声が出力される。
また、プロジェクタ１が第２投射位置で静止している状態においては、音声情報切替部２６２は、音声処理手段３７に、スピーカ３４１に対して左側用音声情報を出力させ、スピーカ３４２に対して右側用音声情報を出力させるので、プロジェクタ１の使用者の左側にあるスピーカ３４１から左側用音声情報に基づく音声が出力され、右側にあるスピーカ３４２から右側用音声情報に基づく音声が出力される。
したがって、音声情報切替部２６２は、各スピーカ３４１，３４２に対して出力される音声情報をプロジェクタ１の設置位置に応じて切り替えている。
【００４４】
本実施形態に係るプロジェクタ１によれば、次のような効果がある。
（１）プロジェクタ１は、スピーカ３４１，３４２に対して出力される音声情報をプロジェクタ１の設置位置に応じて切り替える音声情報切替部２６２を備えるので、プロジェクタ１の設置位置を変更した場合であっても使用者が臨場感のある音声を聴くことができる。
（２）スイッチ６１Ａ，６１Ｂは、第１投射位置と、第２投射位置とを検出するので、音声情報切替部２６２は、使用者の左側にあるスピーカから左側用音声情報に基づく音声が出力され、右側にあるスピーカから右側用音声情報に基づく音声が出力されるように、音声情報を切り替えることができる。したがって、プロジェクタ１の設置位置を変更した場合であっても使用者が臨場感のある音声を聴くことができる。
（３）音声情報切替部２６２は、各音声情報を各スピーカに対して継続して出力させるので、プロジェクタ本体２およびＤＶＤプレーヤー３の回転位置が第１投射位置、及び第２投射位置の中間位置にある場合においても継続して音声を出力することができる。
【００４５】
〔第２実施形態〕
以下、本発明の第２実施形態を図面に基づいて説明する。
なお、以下の説明では、既に説明した部分については、同一符号を付してその説明を省略する。
前記第１実施形態では、プロジェクタ１は、スピーカ３４１，３４２を備えるステレオスピーカとして構成されていた。
これに対して、本実施形態では、プロジェクタ１Ａは、４つのスピーカ３４１〜３４４を備えるサラウンドスピーカとして構成されている点で異なる。
【００４６】
図８は、プロジェクタ１Ａの内部構成を示すブロック図である。
ＤＶＤプレーヤー３Ａは、図８に示すように、４つのスピーカ３４１〜３４４と、音声処理手段３７Ａを備える。
音声処理手段３７Ａは、記録媒体に記録された音声情報を処理する。具体的に、音声処理手段３７Ａは、記録媒体に記録された音声情報に基づいて、使用者の左前方側にあるスピーカから音声を出力するための左前方側用音声情報と、右前方側にあるスピーカから音声を出力するための右前方側用音声情報と、左後方側にあるスピーカから音声を出力するための左後方側用音声情報と、右後方側にあるスピーカから音声を出力するための右後方側用音声情報とを別々に処理する。そして、処理された各音声情報を、別々の信号線を介して接続された各スピーカ３４１〜３４４に対して出力する。
【００４７】
プロジェクタ本体２Ａは、制御手段２６Ａを備え、制御手段２６Ａは、音声情報切替部２６２Ａを備える。
音声情報切替部２６２Ａは、回転位置判定部２６１による判定結果に基づいて、スピーカ３４１〜３４４に対して出力される音声情報を音声処理手段３７Ａに切り替えさせる。
【００４８】
図９は、プロジェクタ１Ａが第１投射位置および第２投射位置で静止している状態におけるスクリーンＳｃと、投射レンズ２２と、スピーカ３４１〜３４４と、プロジェクタ１Ａの使用者の位置関係を示す模式図である。なお、図９において、プロジェクタ１Ａの使用者は丸印で示されている。
図９（Ａ）は、プロジェクタ１Ａが第１投射位置で静止している状態を示す図であり、この状態においては、投射レンズ２２と、スピーカ３４１，３４２とは同側にあり、投射レンズ２２と、スピーカ３４３，３４４とは反対側にある。また、図９（Ｂ）は、プロジェクタ１Ａが第２投射位置で静止している状態を示す図であり、この状態においては、投射レンズ２２と、スピーカ３４１，３４２とは反対側にあり、投射レンズ２２と、スピーカ３４３，３４４とは同側にある。
【００４９】
そして、プロジェクタ１Ａが第１投射位置で静止している状態においては、音声情報切替部２６２Ａは、音声処理手段３７Ａに、スピーカ３４１に対して右前方側用音声情報を出力させ、スピーカ３４２に対して左前方側用音声情報を出力させ、スピーカ３４３に対して右後方側用音声情報を出力させ、スピーカ３４４に対して左後方側用音声情報を出力させる。
また、プロジェクタ１Ａが第２投射位置で静止している状態においては、音声情報切替部２６２Ａは、音声処理手段３７Ａに、スピーカ３４１に対して左後方側用音声情報を出力させ、スピーカ３４２に対して右後方側用音声情報を出力させ、スピーカ３４３に対して左前方側用音声情報を出力させ、スピーカ３４４に対して右前方側用音声情報を出力させる。
【００５０】
このような本実施形態においても、前記第１実施形態における作用、効果と同様の作用、効果を奏することができる他、以下の作用、効果を奏することができる。
（４）プロジェクタ１Ａは、４つのスピーカ３４１〜３４４を備えているので、使用者は更に臨場感のある音声を聴くことができる。
【００５１】
〔実施形態の変形〕
なお、本発明は前記実施形態に限定されるものではなく、本発明の目的を達成できる範囲での変形、改良等は本発明に含まれるものである。
前記実施形態では、回転位置検出手段６は、スイッチ６１Ａ，６１Ｂにより構成されていたが、例えば、光学式のセンサなどを用いてもよく、要するに、プロジェクタ本体および音響装置の回転位置を検出するためのものであればよい。
前記実施形態では、音声情報切替部２６２，２６２Ａは、スピーカ３４１〜３４４に音声情報を出力する音声処理手段３７，３７Ａを制御することにより、スピーカ３４１〜３４４に対して出力される音声情報を切り替えていた。これに対して、例えば、音声処理手段３７，３７Ａおよびスピーカ３４１〜３４４を接続する信号線上に切替スイッチを設け、この切替スイッチを制御することにより、スピーカ３４１〜３４４に対して出力される音声情報を切り替えてもよい。要するに、音声情報切替部は、スピーカに対して出力される音声情報を切り替えることができればよい。
【００５２】
前記実施形態では、ＤＶＤプレーヤー３，３Ａは、２つのスピーカ３４１，３４２から構成されるステレオスピーカ、または４つのスピーカ３４１〜３４４から構成されるサラウンドスピーカを備えていた。これに対して、音響装置は、１つのスピーカから構成されるモノラルスピーカを備えていてもよく、３つ、または５つ以上のスピーカから構成されるサラウンドスピーカを備えていてもよい。要するに、プロジェクタは、スピーカを備える音響装置を備えていればよい。
また、サラウンドのチャネル数と、プロジェクタの備えているスピーカの数が異なる場合等には、音声情報切替部は、スピーカに対して出力するチャネルを選択するようにしてもよい。要するに、音声情報切替部は、スピーカに対して出力される音声情報をプロジェクタの設置位置に応じて切り替えればよい。なお、この場合には、スピーカに対して出力されるチャネル以外のチャネルを外部スピーカに対して出力するようにプロジェクタを構成することができる。
【００５３】
前記実施形態では、透過型の液晶パネル２５２を採用していたが、これに限らず、反射型の液晶パネルを採用してもよく、あるいは、デジタルマイクロミラーデバイス（ＤＭＤ）を採用してもよい。なお、ＤＭＤは米国テキサスインスツルメンツ社の商標である。
前記実施形態では、音響装置として、ＤＶＤプレーヤー３を例示したが、例えば、ＣＤプレーヤーなどであってもよく、要するに、少なくとも一対のスピーカを有する音響装置であればよい。
【産業上の利用可能性】
【００５４】
本発明は、プロジェクタに利用でき、特に、プロジェクタ本体と、音響装置とを備えるプロジェクタに好適に利用することができる。
【図面の簡単な説明】
【００５５】
【図１】第１実施形態に係るプロジェクタを前方側から見た斜視図。
【図２】前記実施形態におけるプロジェクタを後方側から見た斜視図。
【図３】前記実施形態におけるプロジェクタを前方側から見た分解斜視図。
【図４】前記実施形態におけるプロジェクタが第１投射位置で静止している状態において、天板を下方側から見た図。
【図５】前記実施形態におけるプロジェクタの内部構成を示すブロック図。
【図６】前記実施形態におけるプロジェクタの制御処理を示すフローチャート。
【図７】前記実施形態におけるプロジェクタが第１投射位置および第２投射位置で静止している状態におけるスクリーンと、投射レンズと、スピーカと、プロジェクタの使用者の位置関係を示す模式図。
【図８】第２実施形態に係るプロジェクタの内部構成を示すブロック図。
【図９】前記実施形態におけるプロジェクタが第１投射位置および第２投射位置で静止している状態におけるスクリーンと、投射レンズと、スピーカと、プロジェクタの使用者の位置関係を示す模式図。
【符号の説明】
【００５６】
１，１Ａ…プロジェクタ、２，２Ａ…プロジェクタ本体、３，３Ａ…ＤＶＤプレーヤー（音響装置）、４…連結機構、６…回転位置検出手段、２２…投射レンズ（投射光学装置）、２５２…液晶パネル（光変調装置）、２６１…回転位置判定部、２６２，２６２Ａ…音声情報切替部、３４１〜３４４…スピーカ、Ｓ１…回転位置判定ステップ、Ｓ２…音声情報切替ステップ。
【図１】
2009044720.tif 000003
【図２】
2009044720.tif 000004
【図３】
2009044720.tif 000005
【図４】
2009044720.tif 000006
【図５】
2009044720.tif 000007
【図６】
2009044720.tif 000008
【図７】
2009044720.tif 000009
【図８】
2009044720.tif 000010
【図９】
2009044720.tif 000011